(57)【特許請求の範囲】
【請求項１】
光学的に認識可能なマークであって、等間隔に記されて各行および各列のうち少なくとも何れか一方の位置を表すクロック情報と、該クロック情報に対応して領域が設けられ、該領域にマークが存在するか否かによって情報を表現するデータ情報とを用いて、平面状の記録面でデジタル情報の記録を行うデジタル情報記録担体において、
前記クロック情報は、所定の個数に対して１つのマークを変形、あるいは他の印を付加することにより、読み取られたクロック情報の検証および修正を行うための基準位置を表す情報を有する基準位置クロック情報を含んでいる
ことを特徴とするデジタル情報記録担体。
【請求項２】
請求項１記載のクロック情報において、
５×５に並べられた正方形のマス目から構成され、中央部のマス目が黒で、その周りを８個の白いマス目で囲み、さらにその外周を１６個の黒いマス目で囲むことにより表現される特定パターンを、基準位置を表す情報として用いる
ことを特徴とするデジタル情報記録担体。
【請求項３】
平面状の記録面に、ビットに対応するマス目を行列状に仮想的に設定し、該マス目に光学的に認識可能なマークを付与してデジタル情報を二次元パターンとして記録するとともに、前記マス目のうち、情報を記録しない複数のマス目を設けて、該マス目を連結して形成される請求項２記載の特定パターンを位置情報を表すクロック情報として付与したデジタル情報記録担体であって、
該クロック情報としての特定パターンは、記録面内の行または列方向の少なくとも一方向に対して所定の間隔をおいて分散配置され、
該分散配置された特定パターンは、所定数おきにパターンの形状を異なるものとして基準位置を表す情報を有する
ことを特徴とするデジタル情報記録担体。
【請求項４】
情報読み取り装置によって、請求項１記載のデジタル情報記録媒体からデジタル情報を読み取るデジタル情報読み取り方法であって、
前記デジタル情報記録担体に記録されている記録情報を、入力部によってラインごとに読み取る工程と、
該読み取った情報を、入力情報処理部によってラインごとにメモリに蓄積する工程と、
該蓄積された情報のうち前記基準位置クロック情報を、クロック情報処理部によって検出する工程と、
該基準位置クロック情報を検出した場合には、記録情報処理部によって、その一つ前の基準位置クロック情報を探索し、両基準位置クロック情報に基づいて前記両基準位置クロック情報間におけるクロック情報の位置を予測し、この予測位置に従って全てのクロック情報を探索する工程と、
該探索した基準位置クロック情報およびクロック情報に対応するデータ情報を前記記録情報処理部によって読み出す工程と、
該読み出した情報を、出力部によって逐次出力する工程と、
最後のクロック情報でなければ出力して不要になった情報を前記記録情報処理部によって前記メモリより削除し、新たにラインごとの読み取りを始める工程と、
を有することを特徴とするデジタル情報読み取り方法。
【発明の詳細な説明】
【０００１】
【産業上の利用分野】
この発明は、平面状の記録面に印刷などによって記録されるデジタル情報に用いるデジタル情報記録担体及びそれを用いたデジタル情報読み取り方法に関する。
【０００２】
【従来の技術】
紙など平面状の記録面にデジタル情報を記録する方法として、クロック情報とデータ情報を用いて記録する方法が知られている。クロック情報は等間隔に印刷されたマス目や点、線などのマークによって表現される。そして、クロック情報に並行してデータ情報の領域が設けられ、クロック情報のマーク位置に対応する位置にデータ情報のマークが存在するか否かによってデジタル情報が表現される。例えば図２６では、クロック情報１１とデータ情報１２を用いて、左から“１００１１０１”という情報が記されている。
【０００３】
図２７の例は、クロック情報１１のうち、マークとマーク間の位置とを利用して情報を表現するものであり、左から“１００１１０１０００１１１１０”という情報が記されている。
【０００４】
【発明が解決しようとする課題】
紙などに印刷によってクロック情報及びデータ情報を記録する場合、インクのにじみやかすれ、あるいは紙の伸び縮みなどによって、読み取り時にクロック情報を誤認識する可能性がある。例えば、図２８(ａ）のごとくインクのにじみによって２つのマークがくっついてしまった場合、３つのマークを２つと認識してしまったり、図２８(ｂ）のごとくインクのかすれによってクロック情報が２つに分離してしまった場合、３つのマークを４つと認識してしまったり、図２８(ｃ）のごとくマーク間に付いた汚れを１つのマークと認識してしまったり、などといった例である。
【０００５】
マークとマーク間の大きさを加味することによりある程度の修正を行うことも可能であるが、逆に修正を行ったために誤認識する可能性もある。例えば、図２８(ｄ）のごとく紙の伸びによってマークが広がってしまった場合、これをインクがにじんで２つのマークがくっついてしまったものと判断し、３つのマークを４つと認識したり、紙の縮みによって図２８(ｅ）のごとくマークが小さくなってしまった場合、インクがかすれてしまったと判断し、３つのマークを２つと認識してしまう、といった例である。
【０００６】
本発明はこれらの誤認識を防ぐためになされたものであり、処理過程において順序を確認、修正することによって読み誤りを防ぐことのできるクロック情報を有するデジタル情報記録担体、及びそれを用いたデジタル情報読み取り方法を提供することを目的とする。
【０００７】
【課題を解決するための手段】
上記の問題点に鑑み本発明では、光学的に認識可能なマークであって、等間隔に記されて各行および各列のうち少なくとも何れか一方の位置を表すクロック情報と、該クロック情報に対応して領域が設けられ、該領域にマークが存在するか否かによって情報を表現するデータ情報とを用いて、平面上の記録面でデジタル情報の記録を行うデジタル情報記録担体において、該クロック情報は、所定の個数に対して１つのマークを変形、あるいは他の印を付加することにより、読み取られたクロック情報の検証および修正を行うための基準位置を表す情報を有する基準位置クロック情報を含んでいることを特徴とする。
【０００８】
また、前記クロック情報は、５×５に並べられた正方形のマス目から構成され、中央部のマス目が黒で、その周りを８個の白いマス目で囲み、さらにその外周を１６個の黒いマス目で囲むことにより表現される特定パターンを基準位置を表す情報として用いることを特徴とする。
【０００９】
また、平面状の記録面に、ビットに対応するマス目を行列状に仮想的に設定し、該マス目に光学的に認識可能なマークを付与してデジタル情報を二次元パターンとして記録するとともに、前記マス目のうち、情報を記録しない複数のマス目を設けて、該マス目を連結して形成される前記特定パターンを位置情報を表すクロック情報として付与したデジタル情報記録担体であって、該クロック情報としての特定パターンは、記録面内の行または列方向の少なくとも一方向に対して所定の間隔をおいて分散配置され、該分散配置された特定パターンは、所定数おきにパターンの形状を異なるものとして基準位置を表す情報を有することを特徴とする。
【００１０】
また、情報読み取り装置によって、請求項１記載のデジタル情報記録媒体からデジタル情報を読み取るデジタル情報読み取り方法であって、前記デジタル情報記録担体に記録されている記録情報を入力部によってラインごとに読み取る工程と、該読み取った情報を入力情報処理部によってラインごとにメモリに蓄積する工程と、該蓄積された情報のうち前記基準位置クロック情報をクロック情報処理部によって検出する工程と、該基準位置クロック情報を検出した場合には記録情報処理部によってその一つ前の基準位置クロック情報を探索し、両基準位置クロック情報に基づいて前記両基準位置クロック情報間におけるクロック情報の位置を予測し、この予測位置に従って全てのクロック情報を探索する工程と、該探索した基準位置クロック情報およびクロック情報に対応するデータ情報を前記記録情報処理部によって読み出す工程と、該読み出した情報を出力部によって逐次出力する工程と、最後のクロック情報でなければ出力して不要になった情報を前記記録情報処理部によって前記メモリより削除し、新たにラインごとの読み取りを始める工程と、を有することを特徴とする。
【００１１】
【作用】
本願のデジタル情報記録担体におけるクロック情報では、基準位置を示すマークを一定間隔に配置することによりクロック情報の前後の読み誤りを防ぐことができる。また、基準位置を表すマークとして特定パターンを用いることにより、該マークの探索が容易になる。また、基準位置を表すマークにより記録面を分割し、分割された単位で読み取りを行う方法を用いることにより、読み出しの際に必要なメモリ領域を少なくすることができる。
【００１２】
【実施例】
以下、図を用いて本発明の実施例を説明する。
【００１３】
本発明はデジタル情報の記録に際し、各行の区別を行うことができるようにクロック情報に一定の間隔で基準位置の情報を付加したものであり、図１はクロック情報のマーク４つにつき矢印を一本付加した例であり、また図２は、クロック情報のマーク５つにつき１つのマークを変形し長くした例を表す。これら矢印及び変形したマークが基準位置を表すことになる。
【００１４】
このクロック情報を用いたデータの読み取りは、図３のフローチャートに従って行われる。ここでは基準位置を示すマークとして矢印を用いた例を説明する。
【００１５】
まず、クロック情報の最初のマークを探索し(Ｓ０１)、マークに対応するデータの読み取りを行う(Ｓ０２)。この時点ではまだ、読み取ったデータは正しいものとして確定しない。
【００１６】
次に、マークに矢印が付加されているかを調べ(Ｓ０３)、付加されている場合には、矢印の付加されるべき順序のマークであるかを調べる(Ｓ０４)。これは読みこんだクロック情報を順次カウントしていくことによりその順序と、予め設定されている矢印の付加される順序とを確認していくものである。順序が正しければ、一つ前の矢印から現在の矢印までのデータを正しいものとして確定する(Ｓ０５)。順序が正しくない場合には、一つ前の矢印から現在の矢印までのマークを再度検証して修正を行い(Ｓ０６)、修正した結果正しいマークが得られた場合(Ｓ０７)には、修正されたマークに対応するデータを確定して(Ｓ０８)次の動作に移る。修正されたマークが得られない場合には、エラー(Ｓ０９)として処理を終了する。
【００１７】
ここで、前記マークの検証及び修正は次のように行われる。読み取られたクロック情報は、例えば各クロック情報を構成する閉領域の重心の値を該クロック情報の代表点と見なすことによって用いられる。図５(ａ)は５個のクロックを正しく読み取れた場合に、クロック情報の重心を代表点として設定したことを表す図である。代表点を正しく求められたどうかは、矢印の付されたクロック情報Ｃ０、Ｃ４の代表点Ｐ(０)、Ｐ(４)の区間を４等分した点Ｑ(１)、Ｑ(２)、Ｑ(３)を求め(図５(ｂ))、各点間の距離が一定範囲内に収まっているかを検証することによって知ることができる。また逆に、先にＣ０、Ｃ４を探し、各代表点Ｐ(０)、Ｐ(４)の区間を４等分した点Ｑ(１)、Ｑ(２)、Ｑ(３)を出現予想位置とすることにより、その近傍を探索することによってＣ１、Ｃ２、Ｃ３を探すことになる。
【００１８】
ここで、図２８(ｃ)のごとくクロック情報のマーク間に汚れが付いてしまった場合には、図６(ａ)に示すようにＣ０とＣ４との間にクロック情報に似た閉領域が４つ出現する。そこで、図５(ｂ)に示したようにＰ(０)とＰ(４)との区間を４分割してＱ(１)、Ｑ(２)、Ｑ(３)を求め、それぞれの近傍でクロック情報の探索を行うことにより、クロック情報Ｃ１、Ｃ２、Ｃ３が探索でき、各代表点Ｐ(１)、Ｐ(２)、Ｐ(３)を求めることができる。
【００１９】
また別の例として、図２８(ａ)のごとくクロック情報がつながってしまった場合、図６(ｂ)で示すように、Ｃ０とＣ４との間には閉領域が２つしか出現しない。そこで、図５(ｂ)に示したようにＰ(０)とＰ(４)との区間を４分割してＱ(１)、Ｑ(２)、Ｑ(３)を求め、それぞれの近傍でクロック情報を探索することによりクロック情報Ｃ３を探索し、代表点Ｐ(３)を求めることができる。ところがＣ１とＣ２とはつながってしまっているため、Ｑ(１)、Ｑ(２)近傍でクロック情報を探そうとすると、１)同一の閉領域を探してしまう、２)見付けた閉領域の重心位置はＱ(１)、Ｑ(２)の近傍からずれた位置にある、３)閉領域の大きさが他のクロック情報に比して大きい、という理由により見付けた閉領域が正しいクロック情報ではないことがわかる。この場合には、先に求めたＱ(１)、Ｑ(２)をＣ１、Ｃ２の代表点として用いるか、Ｐ(０)とＰ(３)との区間を３分割した点を代表点として用いる方法が取られる。あるいはまた、クロック情報を見付けることができなかったとして処理することもできる。
【００２０】
データを確定したら、続いて現在のマークがクロック情報の最後のマークであるかを確認し(Ｓ１０)、最後のマークに至るまで次のマークの探索を続け(Ｓ１１)、Ｓ０２以降の動作を繰り返す。最後のマークであれば未確定のデータの有無を確認し(Ｓ１２)、全てのデータを確定して(Ｓ１３)処理を終了する。
【００２１】
また、別の読み取り方法としては、図４に示すフローチャートに従った方法が用いられる。まず、画像情報などの中からクロック情報の存在する領域を探索し(Ｓ２１)、矢印の付加されたマークを探す(Ｓ２２)。全ての矢印のついたマークを探し終えたら、マーク間を均等割りすることによって矢印の付加されていないマークの探索を行う(Ｓ２３)。こうして全てのマークを見付けた後に、各マークに対応するデータの読み取りを行って(Ｓ２４)処理を終了する。
【００２２】
このように、クロック情報に基準位置となるマークを一定間隔で設けることによって、現在位置の読み取り誤りを防ぐことができる。
【００２３】
クロック情報のうち、矢印が付加されたり変形されたりしたマークを先に探す場合、そのマークが画像情報の中から抽出されやすい形状を示していることが好ましい。例えば図２では、変形されたマークが大きい、あるいは長いといった特徴を見ることによって、変形されたマークを探すことが容易になる。図１の矢印の例では、矢印の形状を認識しようとすると読み取りが難しくなるが、マークの近傍に、ある一定の大きさの黒画素の固まりの有無を識別するだけならば、読み取りは容易に行うことができる。
【００２４】
しかしながら、矢印や大きさの変形による基準位置を表すマークは、記録面の汚れやにじみなどの影響を受ける場合が考えられる。例えば、図１で用いた矢印に似た汚れが基準位置以外のクロック情報の横についてしまったり、基準位置以外のクロック情報に汚れがついて図２のマークのごとく、変形したマークに見えてしまう場合である。
【００２５】
図７は、クロック情報の基準位置のマークとして好適な特定パターンの例を説明する図である。この特定パターンは、５×５のマス目から構成されており、外周部のパターンを形成する外周のマス目１６個(輪郭部３３)と中心部のパターンとなる中央のマス目１個(中心セル３１)とが黒によって表現され、その間のパターンとなる８個のマス目(中空領域３２)が白によって表現されるものである。本特定パターンは、
１）記録情報部の中に埋没する形で配置されていても比較的見付けやすい
２）特定パターンを構成するマス目の数が２５と小さい
３）特定パターンの近傍に同じパターンが現れる場合にも、縦または横に４マスずれた位置にしか同じパターンは現れない(図８)
４）黒と白のマス目がバランス良く配置されているため、汚れやにじみなどの影響を受けにくい
５）中央の黒の部分が白に囲まれた閉領域を構成しており、また周囲の白の部分も黒に囲まれた閉領域を構成している、という特徴を調べることにより見付けやすい
といった特徴をもっており、特定パターンとして好適な例である。この特定パターンをクロック情報として用いた例が図９である。上記の特徴より、特定パターンは探索が容易であることから、図４のフローチャートにおけるＳ２１、Ｓ２２にあたる処理効率を上げることができる。また、矢印や大きさを変形した基準位置のマークに比べて汚れやにじみなどの影響も受けにくい。
【００２６】
図１０は、２次元的にマトリクスを並べたデジタル情報の記録に図９で示したクロック情報を用いた例である。従来例の図１１と比較して、一定間隔でクロック情報に特定パターンが設けられていることがわかる。また、記録面の１方向のクロック情報だけでなく、図１２のごとく、縦横の２方向にクロック情報を設けることもできる。図１２の例では、縦方向と横方向に異なるクロック情報を用いているがこれらの機能は同じものであり、異なることによって記録面の縦横の判別を行うことができる。
【００２７】
これらの基準位置を示すマークは、広領域のデジタル情報の記録にも応用して用いられ、図１３のごとく領域全体に特定パターンを配置した記録方法が用いられている。ここでは、記録面にビットに対応するマス目が行列状に仮想的に設定され、そのうち情報を記録しないマス目を複数設けて、そのマス目を連結して特定パターンを形成し、記録面内にクロック情報として設けるものである。このような特定パターンを用いたデジタル情報の読み取りは、以下のように行われる。
【００２８】
まず、特定パターンが格子状に配置されているという情報をもとに、特定パターンを探索する。特定パターンの探索は、まずビットマップデータの中から記録面に相当する領域を判別し、その四隅を調べる。図１４の例では、四隅に特定パターンａ００、ａ０４、ａ４０、ａ４４が配置されているため、その四隅の特定パターンａ００、ａ０４、ａ４０、ａ４４を検出する。各特定パターンは、横５×縦５のマス目のよって構成されていることが予めわかっているため、四隅の特定パターンを分析することにより記録面を構成するマス目のおよその大きさを知ることができる。
【００２９】
続いて、記録面の四辺に沿った特定パターンを検索する。記録面の上辺に沿った特定パターンの探索を例にとると、まず、左上隅の特定パターンａ００の隣の特定パターンａ０１を探し、順次右へ向かってａ０２、ａ０３と探していく。特定パターンａ０１を探す場合、記録面中に特定パターンは横１５マス目おきに現れることが予めわかっているため、ａ００からａ０４の方向に向かって１５マス目進んだ位置に特定パターンが現れることが予想される。そこでその予想位置、またはその周辺を調べて特定パターンと一致する形状(パターン)を探す。この操作を繰り返すことにより、上辺に沿った特定パターンを順次見付けることができる。同様にして、記録面の他の三辺に沿った特定パターンも順次見付けることができる。
【００３０】
四辺に隣接していない中央部近傍の特定パターンａ１１〜ａ１３、ａ２１〜ａ２３、ａ３１〜ｓ３３については、記録面中で特定パターンが格子状に並んでいることを利用して位置を予想し、その予想位置またはその周辺を調べて特定パターンと一致する形状を探索する。探索方法としては２通りの方法が考えられる。
【００３１】
１つの方法は、図１５に示すように、上下に対応する特定パターン同士を結ぶ直線と、左右に対応する特定パターン同士を結ぶ直線との交点を求め、その交点付近に特定パターンが現れると予想し、予想位置またはその周辺を調べて特定パターンと一致する形状を探索するものである。例えば特定パターンａ１２を探す場合には、ａ０２とａ４２を結ぶ直線と、ａ１０とａ１４を結ぶ直線との交点ｂ１２を予想位置として設定し、その位置近傍を調べて特定パターンａ１２を見付けることができる。
【００３２】
もう一つの方法は、図１６に示すように、既知の隣り合う３つの特定パターンを利用して近傍の特定パターンの位置を予想する方法である。例えば図１７に示すように既知の座標ｃ００、ｃ０１、ｃ１０があれば、この３つの座標と平行四辺形を構成するもう１つの座標ｃ１１は、ベクトルの合成を用いて求めることができる(ベクトルｃ００→ｃ０１とベクトルｃ００→ｃ１０を合成したものがベクトルｃ００→ｃ１１と等しい)。したがって、特定パターンａ００、ａ０１、ａ１０を利用して特定パターンａ１１の位置を予想し、その予想位置またはその周辺を調べて特定パターンと一致する形状を探索する。次いで、新たに得た特定パターンａ１１と特定パターンａ０１、ａ０２を利用して特定パターンａ１２の探索を行い、以下順次中央部近傍の特定パターンを探索していく。
【００３３】
全ての特定パターンの探索が終わったら、次に４つの特定パターンの位置情報を基準として本来の記録情報を表すマス目２１の値を得る。図１８は、情報記録領域２３のうち４つの特定パターンに囲まれる領域を示すものであり、その領域はＭ行Ｎ列のマス目によって構成されているとする。左上の特定パターンＰ00の位置が０行０列目、右上の特定パターンＰ0Nが０行Ｎ列目、左下の特定パターンＰM0がＭ行０列目、右下の特定パターンＰMNがＭ行Ｎ列目にあたるとすると、４つの特定パターンに囲まれた領域内の、ｍ行ｎ列目に相当する任意のマス目Ｐmnの位置は、Ｐ00、Ｐ0N、ＰM0、ＰMNを用いて
【００３４】
【数１】
0003655661.tif 000002
【００３５】
とマス目の位置を求めることができる。この位置の値を調べることにより、記録情報部のマス目の値を読み出すことができる。
【００３６】
ところで、上記デジタル記録情報における特定パターンは等間隔の格子状に配置されており、情報の読み出しの際の位置情報を提供することから、クロック情報の一種と見なすことができる。また、特定パターンの探索においても前後左右の特定パターンと誤認識したり、図８に示したような近傍に現れる同一のパターンを特定パターンと読み誤る可能性がある。特に記録面の四辺に沿った特定パターンの探索や、図１６に示したような方法での中央部の特定パターンの探索では、逐次的に特定パターンを探索しているため一旦読み誤るとその後の探索全てに読み誤りの影響が及んでしまう。
【００３７】
このような読み誤りの影響を防ぐために本発明のクロック情報を特定パターンに適用した例が図１９である。図１９ではデジタル情報記録における特定パターンのみを表している。従来の図２０と比較して、外周部の特定パターン４個につき１個を変形した例であり、四辺に沿った特定パターンの探索における読み誤りの影響を防ぐ効果がある。また、図２１は、記録面の中央部も含めて縦横両方向に特定パターン４個につき１個を変形した例であり、中央部における逐次的な特定パターンの探索における読み誤りの影響を防ぐ効果がある。
【００３８】
また、図２２は従来のマークシートのガイドマークに本発明のクロック情報を適用した例である。マークシートのように１つ１つのマーク記入欄１１が独立している場合でも、特定のカイドマークを１つ前あるいは１つ後のガイドマークと誤認識する可能性がある。そのためガイドマーク１２を３つにつき１つ変形した図２２のような例は、図１０などの例と同様に読み誤りを防ぐのに有効である。
【００３９】
図１０や図２２に示した例では、変形されたあるいは矢印などが付加されたマークを基準として記録面を分割し、分割した単位で読み取りを行うことが可能である。
【００４０】
図２３は本発明に係る情報読み取り装置４１の該略図であり、入力部４２、入力データ処理部４４、ガイドマーク処理部４５、記録情報処理部４６、画像情報蓄積メモリ４７、出力部４３により構成される。入力部４２はラインごとに紙などの記録面に印刷された記録情報を読み取るためのもので、例えばラインセンサとラインセンサの駆動装置とによって構成される。入力情報処理部４４は、ラインごとの画像信号を画像信号蓄積メモリ４７に蓄える。ガイドマーク処理部４５は、画像信号蓄積メモリ４７の画像情報をもとにガイドマークを判別し、記録情報処理部４６はガイドマークに従って、画像信号蓄積メモリ４７の画像情報からマーク記入欄の情報を読み出す。また、情報を読み出して不用になった部分の画像情報を画像信号蓄積メモリ４７から消去する。読み出されたマーク記入欄の情報は、出力部４３に送られる。出力部４３は、ディスプレイ、データベースなどによって構成され、読み取った情報を表示または格納する。
【００４１】
この情報読み取り装置４１の動作は、図２４のフローチャートに従って行われる。入力部４２は、記録面をラインごとに読み取り(Ｓ３１)、ラインごとの画像信号を画像情報蓄積メモリ４７へ蓄積する。この動作は、ガイドマーク処理部４５が変形されたガイドマークを見付けるまで繰り返される(Ｓ３３)。変形されたガイドマークを見付けた場合には、直前の変形されたガイドマークを探索し(Ｓ３４)、そのガイドマーク間を均等割することにより予想位置を定め、周辺を探索することにより変形されていないガイドマークを探す(Ｓ３５)。該当する区間のガイドマークが全て見つかったら、記録情報処理部４６が画像情報蓄積メモリ４７の中からマーク記入欄に記入されたデータを読み取る(Ｓ３６)。ガイドマークが最後のものであれば動作を終了するが、最後のガイドマークでなければ記録面の読み取りの動作から再び開始する(Ｓ３７)。但し、再び読み取りを行う前に、画像情報蓄積メモリ４７に蓄積された画像信号のうち、不要なものをメモリから削除する(Ｓ３８)。
【００４２】
図２５は、画像情報蓄積メモリ４７に蓄積される画像情報を表す概念図である。画像情報蓄積メモリ４７には、最初の変形されたガイドマーク１３から２番目の変形されたガイドマーク１３までの区間の画像情報５１が蓄積され、該区間の記録情報の読み取りに使用される。次に読み取られる区間は、２番目の変形されたガイドマークから３番目の変形されたガイドマークまでの区間であるため、必要な画像情報は５２の部分にあたる。したがって、５１の画像情報のうち、５２の画像情報として用いられない部分は、画像情報蓄積メモリ４７から削除することが可能であり、また、画像情報はライン単位で蓄積されているため、不要な部分の削除を容易に行うことが可能となる。
【００４３】
【発明の効果】
本願のデジタル情報記録担体では、基準位置を示すマークを一定間隔に配置したクロック情報を用いることにより、クロック情報の読み誤りを防ぐことができるため、紙のように変形や汚れなどの影響を受けやすい記録担体を利用する場合にも、正確な情報の読み出しが可能となる。また、基準位置を表すマークとして特定パターンを用いることにより、該マークの探索が容易になり、処理効率を上げることができる。また、基準位置を表すマークにより記録面を分割し、分割された単位で読み取りを行う方法を用いることにより、読み出しの際に必要なメモリ領域を少なくすることができる。
【図面の簡単な説明】
【図１】  本発明の一実施例を表す図である。
【図２】  本発明の別の実施例を表す図である。
【図３】  本発明に係るデータの読み取りを行う一方法を説明するためのフローチャートである。
【図４】  本発明に係るデータの読み取りを行う別の方法を説明するためのフローチャートである。
【図５】  クロック情報の読み取り方法を説明する図である。
【図６】  クロック情報を誤って読み取った場合に修正を行う方法を説明する図である。
【図７】  特定パターンの好適な例を表す図である。
【図８】  図７の特定パターンがその近傍に現れた同一のパターンと重なった状態を表す図である。
【図９】  本発明のクロック情報として、図７の特定パターンを用いた例を表す図である。
【図１０】  二次元的に記録したデジタル情報に本発明のクロック情報を用いた例を表す図である。
【図１１】  二次元的に記録したデジタル情報に従来のクロック情報を用いた例を表す図である。
【図１２】  二次元的に記録したデジタル情報に本発明のクロック情報を用いた別の例を表す図である。
【図１３】  図７の特定パターンを記録領域全体に配置したデジタル情報記録の一実施例を表す図である。
【図１４】  図１３で用いたデジタル情報記録の特定パターンの配置を説明する図である。
【図１５】  中央部の特定パターンを見付ける方法を説明する図である。
【図１６】  中央部の特定パターンを見付ける別の方法を説明する図である。
【図１７】  図１６の方法で用いるベクトルの概念を説明する図である。
【図１８】  ４つの特定パターンに囲まれた領域のマス目の値を得る方法を説明する図である。
【図１９】  図１３のデジタル情報記録の特定パターンに本発明のクロック情報を応用した例を表す図である。
【図２０】  図１９の例に係る従来例を表す図である。
【図２１】  図１３のデジタル情報記録の特定パターンに本発明のクロック情報を応用した別の例を表す図である。
【図２２】  マークシートのガイドマークに本発明のクロック情報を応用した例を表す図である。
【図２３】  本発明に係る情報読み取り装置の構成を表す概略図である。
【図２４】  図２３の装置の動作を説明するフローチャートである。
【図２５】  画像情報メモリに蓄積される画像情報を説明する図である。
【図２６】  クロック情報とデータ情報を用いたデジタル情報を説明する図である。
【図２７】  クロック情報とデータ情報を用いたデジタル情報の別の例を説明する図である。
【図２８】  従来のクロック情報の不都合な点を説明する図である。
【符号の説明】
１１  クロック情報
１２  データ情報
１３  変形されたガイドマーク
１４  変形されていないガイドマーク
１５  マーク記入欄
２１  記録面
２２  特定パターン
２３  記録情報部
【図１】
0003655661.tif 000003
【図２】
0003655661.tif 000004
【図３】
0003655661.tif 000005
【図４】
0003655661.tif 000006
【図５】
0003655661.tif 000007
【図６】
0003655661.tif 000008
【図７】
0003655661.tif 000009
【図８】
0003655661.tif 000010
【図９】
0003655661.tif 000011
【図１０】
0003655661.tif 000012
【図１１】
0003655661.tif 000013
【図１２】
0003655661.tif 000014
【図１３】
0003655661.tif 000015
【図１４】
0003655661.tif 000016
【図１５】
0003655661.tif 000017
【図１６】
0003655661.tif 000018
【図１７】
0003655661.tif 000019
【図１８】
0003655661.tif 000020
【図１９】
0003655661.tif 000021
【図２０】
0003655661.tif 000022
【図２１】
0003655661.tif 000023
【図２２】
0003655661.tif 000024
【図２３】
0003655661.tif 000025
【図２４】
0003655661.tif 000026
【図２５】
0003655661.tif 000027
【図２６】
0003655661.tif 000028
【図２７】
0003655661.tif 000029
【図２８】
0003655661.tif 000030